Podtech/llm-jp-corpus-v4-ja_patent huggingface dataset:
(57)【要約】【課題】三次元レーザースキャナーは筐体を基準とした座標軸と内部で認識している座標軸との間に差異があり、これを一致させるために必要な調整に工数がかかる。【解決手段】垂直平面と、これに直角に交差する水平面と、この水平面上に固定具とが組みつけられた校正器具を設け、三次元レーザースキャナーを固定具に固定し、校正器具の垂直平面を測定し、測定結果を元に座標軸の校正量を求め、以降の測定でこの校正量を適用する。【選択図】図１
2017156165.tif 000002
【特許請求の範囲】
【請求項１】
三次元レーザースキャナーの座標系を校正する器具であって、
垂直平面と、水平面と、前記水平面上に設けられた固定具と、を具備し、
前記固定具は校正する三次元レーザースキャナーを該固定具に固定した際に、前記垂直平面と前記水平面とが所定の位置関係となるように規定されており、
校正する三次元レーザースキャナーを前記固定具に固定した後、前記垂直平面と前記水平面を計測し、該計測の結果と前記所定の位置関係とに基づいて該三次元レーザースキャナーの座標系を校正する
ことを特徴とする三次元レーザースキャナー校正器具。
【発明の詳細な説明】
【技術分野】
【０００１】
本発明は、三次元レーザースキャナーの校正器具に関するものである。
【背景技術】
【０００２】
三次元レーザースキャナーを使用する場合、スキャナーを使用しようとする環境に想定される座標軸の方向とスキャナーの筐体を基準としたスキャナーの局所座標との間に差異が生じることがある。スキャン精度が高い場合やスキャンする距離が長い場合には、この設置の際に生じる差異によって大きな誤差の原因となるため、スキャナーの設置した後、実際の計測作業を行う前にキャリブレーション（校正）を行う必要がある。
【０００３】
キャリブレーションの方法については先行技術文献に記載されているようなものがある。
【先行技術文献】
【特許文献】
【０００４】
【特許文献１】特開２００４−０８５５６５号公報
【特許文献２】特開２００９−１６８４７２号公報
【発明の概要】
【発明が解決しようとする課題】
【０００５】
レーザー光平面を基準平面と平行になるよう調整したり、基準平面に平行な平行移動軸上を平行移動させたり、垂直な回転軸周りに所定の角度だけ回転させたりと、キャリブレーションに調整や移動や回転が伴うため、手間がかかる上に正確に実施するのが熟練を要する。
【０００６】
また、三次元レーザースキャナーのキャリブレーションに使用するターゲットとして、長方形の凸出した垂直平面を有する物体が必要となる。端点の検出が必要となり、端点を測定した時の測定誤差が、キャリブレーションに大きく影響を及ぼしてしまう。水平方向の走査線のスキャナーを前提としており、網目状に走査する三次元レーザースキャナーでは対応できない。
【課題を解決するための手段】
【０００７】
そこで本願発明者はこれらの問題を解決すべく、本願発明を成した。
【０００８】
本発明の三次元レーザースキャナーの校正器具は、
「垂直平面と、水平面と、水平面上に設けられた固定具と、を具備し、
固定具は校正する三次元レーザースキャナーを固定具に固定した際に、垂直平面と水平面とが所定の位置関係となるように規定されており、
校正する三次元レーザースキャナーを固定具に固定した後、垂直平面と水平面を計測し、計測の結果と所定の位置関係とに基づいて三次元レーザースキャナーの座標系を校正する」
ことを特徴としている。
【発明の効果】
【０００９】
本発明により、キャリブレーション作業に必要な工数を低減することが可能となる。
【図面の簡単な説明】
【００１０】
【図１】本発明の校正器具の概念を示す図である。
【図２】固定具にスキャナーを固定した際のスキャナーの座標系を示す図である。
【発明を実施するための形態】
【実施例】
【００１１】
図１で示すように、本発明の校正器具は、水平面と、その水平面上に三次元レーザースキャナーを固定する固定具と、水平面と直角に交差する垂直平面ｆ１と、で構成される。
三次元レーザースキャナーは、レーザー距離測定装置と、レーザー距離測定装置を回転させるモーターと、インデックスセンサーなどから構成される。
インデックスセンサーは、モーター１回転における回転基準位置を検出し、検出信号を出力する。
三次元レーザースキャナーは、レーザー距離測定装置からのレーザー光を垂直方向に回転させるためのモーターおよびインデックスセンサーと、さらにこれを水平方向へ回転させるためのモーターおよびインデックスセンサーと、を合わせ持つ。
【００１２】
この２つモーターを回転させることで、三次元レーザースキャナーは複合的に回転し、レーザー距離測定装置のレーザー光が周囲の空間へ立体的網目状に走査し、三次元レーザースキャンを行うことができる。
【００１３】
インデックスセンサーは、三次元レーザースキャナーの筐体を基準とした座標軸に対して取り付けの調整がされていないため、インデックスセンサーの信号を元に発光する三次元レーザースキャナーの内部で認識している座標軸は三次元レーザースキャナーの筐体を基準とした座標軸と一致していない。
また、インデックスセンサーの取り付けを調整したとしても、調整に時間がかかり、またインデックスセンサーの取り付けそのものに誤差が残る可能性がある。
【００１４】
固定具は、垂直平面ｆ１に対して、三次元レーザースキャナーの筐体を基準とした座標軸のＹＺ平面が平行になるように、また、レーザー距離測定ができるように垂直平面ｆ１から適度に離した水平面上に三次元レーザースキャナーが固定できるように設けてある。
【００１５】
キャリブレーション方法は以下の通りである。
三次元レーザースキャナーを、水平面に固定具により固定する。
三次元レーザースキャナーにて、三次元レーザースキャンを行い、校正器具をスキャンする。スキャンした（三次元レーザースキャナー内部で認識している座標軸における）距離測定値をＸＹＺ座標に変換し、垂直平面ｆ１の平面の方程式を推定する。推定した平面の方程式はａ１ｘ＋ｂ１ｙ＋ｃ１ｚ＋ｄ１＝０と表すことができる。
【００１６】
三次元レーザースキャナーの筐体を基準とした座標軸における垂直平面ｆ１は、この座標軸のＹＺ平面に対して平行になるよう設けてあるため、この平面ｆ１の方程式はａ２ｘ＋ｄ２＝０となる。
【００１７】
推定した垂直平面ｆ１の法線ベクトル（ａ１，ｂ１，ｃ１）が（ａ２，０，０）と平行になるように法線ベクトルの回転を行う。その回転量がキャリブレーションの結果（キャリブレーション量）となる。
【００１８】
この値（キャリブレーション量）で三次元レーザースキャナー内部で認識している座標軸を補正することにより、三次元レーザースキャナーの筐体を基準とした座標軸と三次元レーザースキャナー内部で認識している座標軸は同一となる。
【００１９】
以上、本発明について好適な実施例を挙げて説明したが、本発明はこれらの実施例に限定されるものではなく、発明の精神を逸脱しない限り多くの改変を施すことが可能であるのは勿論である。
【産業上の利用可能性】
【００２０】
量産可能でかつ単純な構造の校正器具を用いることで三次元レーザースキャナーを工数を要さずにキャリブレーションすることができるなどの効果を有している。
【図１】
2017156165.tif 000003
【図２】
2017156165.tif 000004
(57)【要約】【課題】室内において間取スキャナーを実現する際に、家具などの不要物を自動的に除去するには高い処理能力のコンピューターシステムを利用する必要がある。【解決手段】間取スキャン時に天井に注目し、天井の端部と垂直に交差する平面を壁面の候補として扱うようにし不要物除去を自動的に行う上で処理に必要な負荷を軽減する。【選択図】なし【特許請求の範囲】
【請求項１】
三次元レーザースキャナーと、
点群データ保存部と、
制御部と、
を具備する間取スキャナーシステムであって、
前記制御部は、
前記三次元レーザースキャナーで室内空間をスキャンして点群データを取得し、該点群データを点群データ保存部に保存し、
前記点群データを解析して天井の形状を検出し、
検出した該天井の端部で垂直に交差する平面を検出し、
検出した該平面が室内の壁面の候補として扱われるよう処理する
ことを特徴とする間取スキャナーシステム。
【発明の詳細な説明】
【技術分野】
【０００１】
本発明は、三次元レーザースキャナーを用いた間取スキャナーシステムに関するものである。
【背景技術】
【０００２】
三次元レーザースキャナーで周囲環境の点群データを取得し、この点群データを処理して室内空間の寸法などを測定する技術がある。建築や土木の分野で採寸の手間が省ける上に障害物があっても空間の寸法が得られるため、リフォーム用途などに好適である。
【先行技術文献】
【特許文献】
【０００３】
【特許文献１】特願２０１６−０３３９３１号
【発明の概要】
【発明が解決しようとする課題】
【０００４】
リフォーム用途で間取スキャナーシステムを使用する場合、最終的には室内空間の最大領域（＝壁・天井・床）の形状情報を得ることが目的となる。しかし、特に住宅のような環境を前提にした場合、室内には机・椅子・箪笥などの家具が多量にあり、これらは障害物である。間取スキャンを行うために家具を移動させるのは現実的では無い。よって、三次元レーザースキャナーで間取スキャンを行った際に得られた点群データから壁・天井・床以外の多量の家具を自動的に除去するのが望ましいが現実には限界があり、全てを正しく除去することと点群データの取得やその後の処理にかかる時間とがトレードオフの関係にあるので、単純な演算だけでは低コスト・高速処理といった要求に応じることができない場合がある。
【０００５】
本発明は、上記の課題を解決するためになされたものであり、従来は高いＣＰＵ負荷によって実現されていた室内空間点群データからの家具などの除去を単純な処理で可能にするものである。
【課題を解決するための手段】
【０００６】
本発明の間取スキャナーシステムは、
「三次元レーザースキャナーと、点群データ保存部と、制御部と、を具備し、
制御部は、
三次元レーザースキャナーで室内空間をスキャンして点群データを取得し、点群データを点群データ保存部に保存し、
点群データを解析して天井の形状を検出し、
検出した天井の端部で垂直に交差する平面を検出し、
検出した平面が室内の壁面の候補として扱われるよう処理する」
ことを特徴としている。
【発明の効果】
【０００７】
この特徴により、高いＣＰＵ負荷を要せずに効率的に室内における壁面候補を決定することが可能となる。
【発明を実施するための形態】
【０００８】
以下、本発明を説明する。
【実施例１】
【０００９】
本発明の間取スキャナーシステムは、三次元レーザースキャナーと点群データ保存部と制御部より構成される。
三次元レーザースキャナーは、レーザー距離測定装置と可動反射鏡とで構成されるもので、スキャナーの周囲に存在する物体を立体座標系の座標値の集合（点群データ）として計測するものである。
【００１０】
点群データ保存部は、上述の点群データを保存する機能を有する。具体的には、コンピューターシステムの補助記憶装置であり、ＨＤＤ・ＳＳＤなどである。
制御部は、ＣＰＵとソフトウェアで構成される。
制御部は、三次元レーザースキャナーと点群データ保存部とに対して指示を出すなどして制御を行う。
【００１１】
本発明では、室内で計測した点群データから家具（などの不要物）を除去する上で、天井の端部に注目し、天井の端部と垂直に交差する平面を壁面（の候補）として扱うようにするものである。
例えば、本発明の間取スキャナーシステムの三次元レーザースキャナーを室内の１ｍ高に設置した際、周囲に家具が存在する可能性が非常に高く、どの平面が壁なのかを見出すには困難が伴うが、通常は天井にそう多くの設置物は無く、平面としての天井は検出しやすい。その天井の端部が壁と交差している可能性も高い。特に家具などは床に設置する（重力の作用に委ねると当然）ので、家具の上部には隙間があり、天井端部は比較的に壁より見通しが良い。
【００１２】
このような理由により、天井を検出して、天井の端部と交差する平面を検出し、その平面が壁面の候補として扱うことで、多数ある家具を点群データの中から都度検出して除去するといった処理を不要にできる。
【００１３】
以上、本発明について好適な実施例を挙げて説明したが、本発明はこれらの実施例に限定されるものではなく、発明の精神を逸脱しない限り多くの改変を施すことが可能であるのは勿論である。
【産業上の利用可能性】
【００１４】
量産可能な三次元レーザースキャナーや半導体で実現可能な間取スキャナーシステムによって低コスト・高速に間取スキャンを実現でき、高い経済性と広い応用可能性を得られるなどの効果を有している。
(57)【要約】      （修正有）【課題】コンテンツの再生において、特定人物のセリフと利用者のセルフの類似度を正確に採点する。【解決手段】利用者のセリフを、ピッチ検出したオリジナルの登場人物の音声と比較して、絶対的音高ではなく、抑揚として現れる相対的な音高の変化の近似性により採点する。【選択図】図１
2017156731.tif 000002
【特許請求の範囲】
【請求項１】
オリジナルの役者のセリフ音声と利用者のセリフ音声をそれぞれピッチ検出して比較し、相対的な音高のタイミングによる変化の類似度を評価基準とすることを特徴とする採点システム。
【発明の詳細な説明】
【技術分野】
【０００１】
本発明は、コンテンツの再生で、特定人物のセリフ音声パートを利用者が声を当てるアフレコを採点する採点システムに関するものである。
【背景技術】
【０００２】
近年のカラオケは、単に楽曲を歌唱するだけのものにとどまらず、歌唱を補助する歌唱結果に採点機能が付くのはもはや常識であり、採点結果もとにゲーム感覚で歌唱できるものまで出てきている。
【０００３】
また背景映像にアバタを採用し、カラオケ演奏の反映させるものや、
歌唱だけでなく映画等のコンテンツの視聴が可能なものもあり、楽曲の代わりにコンテンツを再生するものも登場している。
【０００４】
一方、アニメ、ＴＶドラマ等のＤＶＤ−ＲＯＭの特典ディスクとして、アフレコ用のＤＶＤ−ＲＯＭが添付される場合がある。この場合、利用者は、映像を見ながら発声するだけであり、自分の声が合成されないため、実際のアフレコとは異なる。
【０００５】
そこで、カラオケの楽曲再生機能を利用して、コンテンツの登場人物のアフレコに応用して楽しもうとする試みが各社から出願されている。
【先行技術文献】
【特許文献】
【０００６】
【特許文献１】特開2005-148599号公報
【特許文献２】特開2012-037565号公報
【発明の概要】
【０００７】
特許文献１は、市販の音楽用ＣＤ等の記録媒体を採点や再生に用いるカラオケ装置等を提供する。カラオケ装置の記憶部は、採点用音声データおよび伴奏用音声データをあらかじめ記憶し、媒体読取部は、音声波形データをあらかじめ記録する記録媒体から、第１の音声波形データを読み取り、入力受付部は、第２の音声波形データの入力を受け付け、再生部は、あらかじめ記憶された伴奏用音声データと、入力を受け付けられた第２の音声波形データとを、再生し、採点部は、あらかじめ記憶された採点用音声データおよび読み取られた第１の音声波形データのいずれか一方または双方と、入力を受け付けられた第２の音声波形データと、を対比して採点し、出力部は、採点された結果を出力する。
特許文献２は、採点などカラオケにおいて歌唱評価を行う場合、オクターブ補正を適切に実行することで、より正確な歌唱評価を可能とする。本発明の歌唱評価装置は、楽曲情報の再生に同期した模範音程情報と、入力音声信号から検出した歌唱音程情報との差である差分音程情報を抽出し、抽出した差分音程情報に基づいて歌唱オクターブを判定するオクターブ判定処理と、歌唱オクターブ分シフトさせた歌唱音程情報と模範音程情報とを比較する、もしくは、歌唱オクターブ分シフトさせた模範音程情報と歌唱音程情報とを比較する比較処理を行うことを特徴としている。
【発明が解決しようとする課題】
【０００８】
特許文献１は、外国語の会話において特定の音声を消して、その登場人物になって話に参加するようなイメージでカラオケを語学研修に役立てるというものであり、本発明の目的とは異なる。
特許文献２は、映画やドラマの中で特定のセリフ音声を消去し、当該音声を利用者が作品の登場人物になり、他の登場人物とともに会話を楽しむもので、本発明の目的に近いが副音声を使用することは一般的ではない。
【０００９】
カラオケで歌唱する場合、それが１人であっても複数の歌唱であっても、歌っている時間が大半であり、前奏や間奏、他の人の歌唱を待つ時間は一般に少ない。
しかし、ドラマ、映画などのコンテンツにおけるセリフにおいては、自分のセリフを当てる前に、他の登場人物のセリフを聞いて待っている時間が多いことが一般的であり、適切にセリフをこなすためには、劇団における芝居の稽古のような訓練が要求されるものである。これを一般の素人がカラオケ感覚でセリフを入れる場合、油断しているといつのまにか自分のセリフの出番が終わってしまうようなことにもなってしまう。
また、最近のカラオケシステムには採点機能があるが、セリフにも上手下手があり、うまく当てはめるためにはセリフも採点機能がほしいところである。
【課題を解決するための手段】
【００１０】
上記の課題を解決するために、本発明の請求項１は、
オリジナルの役者のセリフ音声と利用者のセリフ音声をそれぞれピッチ検出して比較し、
絶対的な音高ではなく、相対的な音高のタイミングによる変化の類似度を評価基準とすることを特徴とする採点システムである。
【発明の効果】
【００１１】
これにより、人気のアニメや映画、ドラマ等において、利用者が気に入った登場人物を演じるアフレコを、より現実的な基準で採点して楽しむことができる。
【図面の簡単な説明】
【００１２】
【図１】カラオケ採点の表示イメージを示した説明図である。
【図２】本発明の採点方法に係る元の役者の発声例である。
【図３】本発明の採点方法に係る利用者の発声例である。
【発明を実施するための形態】
【００１３】
本発明の実施イメージを図に示す。
通常、採点機能のあるカラオケのモニタ画面２には、図１のようにお手本となる歌唱の音高がピアノロールの様式で表示されることが多い。
【００１４】
図２、図３は、元の役者及び利用者の発声を示す。
図２と図３において、元の役者の発声と利用者の発声を比較した場合、音程が大きく違うため、通常の歌唱の採点法を取ると、絶対音程が大きく違うため高得点は得られないが、相対音程で見ると、利用者の発声はおおむね元の役者の発声と似た抑揚となっている為、高得点となりうる。
【産業上の利用可能性】
【００１５】
これにより、人気のアニメや映画、ドラマ等において、利用者が気に入った登場人物を演じるアフレコの楽しみ方が広がり関連市場が拡大する。
【符号の説明】
【００１６】
１・・・カラオケ端末装置
２・・・カラオケモニタ
５・・・元の役者の発声
６・・・利用者の発声
【図１】
2017156731.tif 000003
【図２】
2017156731.tif 000004
【図３】
2017156731.tif 000005
(57)【要約】【課題】神社等の聖域で、神聖な場所としての意識を喚起し、マナーを向上する為の聖域表示具を提供する。【解決手段】  聖域を表示する表示具であって、この表示具は、長細い形状で板状の表示部と、この表示部の頂部に設けられた吊り下げ部と、この表示部の下端部に設けられた差込部とから構成され、この表示部には聖域を示す表示が付されていることを特徴とする聖域表示具である。【選択図】図１
2017156734.tif 000002
【特許請求の範囲】
【請求項１】
聖域を表示する表示具であって、この表示具は、板状の表示部と、この表示部の頂部に設けられた吊り下げ部と、この表示部の下端部に設けられた差込部とから構成され、この表示部には聖域を示す表示が付されていることを特徴とする聖域表示具。
【請求項２】
請求項１の表示部は透明板に紙垂を表示したことを特徴とする聖域表示具。
【請求項３】
請求項１の表示部は透明板に鳥居を表示したことを特徴とする聖域表示具。
【請求項４】
請求項１乃至請求項３の何れかの表示部には蛍光材又は反射材を付してあることを特徴とする聖域表示具。
【発明の詳細な説明】
【技術分野】
【０００１】  この発明は、神社等の聖域を明示する為の聖域表示具に関する。
【背景技術】
【０００２】  神社等の聖域では、一般の場所と違って神聖な場所としての行動が求められている。しかしながら、近年、信仰心が薄れて、不用意にゴミを捨てたり、ペットを連れ込んで糞をさせたりする等、マナーを守らない人が増えてきた。
【先行技術文献】
【特許文献】
【０００３】
【特許文献１】特許第４４７８３７４
【発明の概要】
【発明が解決しようとする課題】
【０００４】  この為、注意書きを表示する等の対策が考えられるが、無粋な表示では神聖な場所の雰囲気を壊してしまう問題があり有効な対策がなかった。
【課題を解決するための手段】
【０００５】  聖域を表示する表示具であって、この表示具は、板状の表示部と、この表示部の頂部に設けられた吊り下げ部と、この表示部の下端部に設けられた差込部とから構成され、この表示部には聖域を示す表示が付されていることを特徴とする聖域表示具である。
【発明の効果】
【０００６】  この発明により上記の問題点を解決し、神聖な場所としての意識を喚起し、マナーを向上する聖域表示具を提供することができる。
【図面の簡単な説明】
【０００７】
【図１】第一の実施例の聖域表示具の斜視図である。
【図２】第一の実施例の聖域表示具の正面図、平面図、底面図、左側面図である。背面図は正面図と対称に表れる。右側面図は左側面図と同一である。
【図３】第二の実施例の聖域表示具の正面図である。
【図４】第三の実施例の聖域表示具の正面図である。
【図５】第四の実施例の聖域表示具の正面図である。
【図６】第五の実施例の聖域表示具の正面図である。
【発明を実施するための形態】
【０００８】  聖域を表示する表示具であって、この表示具は、板状の表示部と、この表示部の頂部に設けられた吊り下げ部と、この表示部の下端部に設けられた差込部とから構成され、この表示部には聖域を示す表示が付されていることを特徴とする聖域表示具である。
【０００９】  上記の表示部は透明板に紙垂を表示したことを特徴とする聖域表示具である。
上記の表示部は透明板に鳥居を表示したことを特徴とする聖域表示具である。
上記の何れかの表示部には蛍光材又は反射材を付してあることを特徴とする聖域表示具である。
【実施例】
【００１０】  図１、図２により第一の実施例を説明する。聖域表示具１０は、長細い形状で板状の表示部３０と、この表示部３０の頂部に設けられた吊り下げ部２０と、この表示部３０の下端部に設けられた差込部４０とから構成されている。聖域表示具１０は全体を透明なプラスチックの薄板を略長方形に成形し、下端部の差込部４０は地面等に差し込み易くする為先細に傾斜部が設けられている。【００１１】  吊り下げ部２０には吊り下げ孔２１が設けられている。吊り下げ孔２１に紐等を通して木の枝等に吊り下げることが出来る。差込部４０にも差込孔４１が設けられている。差込孔４１に紐を通して、上下逆転して吊り下げることもできる。【００１２】  表示部３０には、表示３１が付されている。表示３１は、紙垂のうち四垂を模して、白色の印刷や塗料の塗布等により長方形を斜め、縦方向に４個連ねた形状に付される。表示３１は、全体又は一部を蛍光材あるいは反射材を用いると夜間にも視認し易くなる。【００１３】  図３、図４は第二の実施例、第三の実施例の聖域表示具１０であり、表示３１を紙垂のうち二垂を模した形状にしたものである。
図５は第四の実施例の聖域表示具１０であり、表示３１を鳥居の形状を模したものである。
図６は第五の実施例の聖域表示具１０であり、表示３１を仏教の卍の形状を模したものである。
【産業上の利用可能性】
【００１４】  この発明は神社等の聖域での利用を前提としているが、これ以外の場所にも利用可能である。
【符号の説明】
【００１５】１０は聖域表示具
２０は吊り下げ部
２１は吊り下げ孔
３０は表示部
３１は表示
４０は差込部
４１は差込孔
【図１】
2017156734.tif 000003
【図２】
2017156734.tif 000004
【図３】
2017156734.tif 000005
【図４】
2017156734.tif 000006
【図５】
2017156734.tif 000007
【図６】
2017156734.tif 000008
(57)【要約】【課題】  マンション等の入居者が外の天気を正確に把握できない事を改善するためインターホンシステムに外の天気を映し出すシステムを提供する。【解決手段】  従来の住戸インターホン情報システムに、天気モニタースイッチ（１）と、天気モニターカメラ入力（２）を設け、天気モニター用カメラを接続し、その映像を映し出すシステムを特徴とする。【選択図】図１
2017143501.tif 000002
【特許請求の範囲】
【請求項１】
天気モニターを付加したインターホン情報システム
【発明の詳細な説明】
【技術分野】
【０００１】  この発明はマンション等のインターホンシステムに天気情報を付加するものである。
【背景技術】
【０００２】  従来のインターホンシステムは、セキュリティ情報と来訪者情報を表示するものであった。
【発明の開示】
【発明が解決しようとする課題】
【０００３】  マンション等集合住宅では上の階に行く程、外を見ても天気を正確に把握する事が難しく、傘、雨具、上着、靴等の選択が困難であった。
【課題を解決するための手段】
【０００４】  従来のインターホンシステムの画面に、外の天気を映し出すシステムを追加する。
【発明の効果】
【０００５】  マンション等集合住宅では外出時、１Ｆに降り玄関で初めて実際の天気を知り、傘やコートを取りに戻る人がたくさんいます。又雪国では、住戸から雪とは分かっていても積雪（降雪）量は外に出て初めて知る事になります。
このシステムは外出時にモニタースイッチを押すだけで、外の天気が正確に把握でき最適な服装や装備が可能になります。
【発明を実施するための最良の形態】
【０００６】  以下本発明を実施するための最良の形態について説明する。
従来のマンション等の住戸インターホン情報システムに、天気モニター用スイッチと天気カメラ用入力を追加し、カメラに接続するだけで簡単に新しい便利さが付加でき高層化するマンションの更なる利便性の向上つながる。
当然信号の優先順位は従来の、１：セキュリティ情報、２：来訪者情報、の後３：天気情報の順とする。
更に、これらの映像のオンライン化と気象関連業種の連携で、ピンポイントで正確な天気予報や情報提供が可能となり災害を未然に防ぐ事にも繋がる。
【図面の簡単な説明】
【０００７】  本発明システムの概念図である。
【符号の説明】
【０００８】  １  天気モニタースイッチ      ２  天気モニターカメラ入力
2017143501.tif 000003
【手続補正書】
【提出日】平成28年4月6日(2016.4.6)
【手続補正１】
【補正対象書類名】明細書
【補正対象項目名】０００７
【補正方法】変更
【補正の内容】
【０００７】
【図１】本発明システムの概念図である
【手続補正２】
【補正対象書類名】図面
【補正対象項目名】全図
【補正方法】変更
【補正の内容】
【図１】
2017143501.tif 000004
(57)【要約】      （修正有）【課題】体の疲れを取る優れたＬＥＤに付随のディスプレーを提供する。【解決手段】ディスプレーにおいて、発光するＬＥＤ部品に蛍光インキを塗布する。【選択図】なし【特許請求の範囲】
【請求項１】
請求事項▲１▼
2017143503.tif 000005
カバー先端の外蓋に取り付けるクッション
2017143503.tif 000006
劣化しにくい素材を使用接合に優れ
2017143503.tif 000007
【請求項２】
請求事項▲２▼
前記先端部の外蓋より端子にプログラムされた体の回復を促がす音波を放つ特徴を持つキュアスピーカー
【請求項３】
請求事項▲３▼
外蓋は立て爪で凸凹を接合を行いロックし断面をしっかりと個定しているキュアスピーカー
【請求項４】
2017143503.tif 000008
前項記載のキュアスピーカー
先行技術文献
【請求項５】
請求事項▲５▼
円錐形のカバー内にカーボンの素材を有している
【請求項６】
請求事項▲６▼
前項の素材カーボンは発電器から配線されており先端の空間部分に磁石が挿嵌されその部品から音波が発しられているＣスピーカー
【請求項７】
請求事項▲７▼
配線は▲＋▼▲−▼で二本に別れており電極が繁がっている
【請求項８】
請求事項▲８▼
カバーには長方形の穴があいており丸みを帯びたそのカバーの長方形の
2017143503.tif 000009
で構成されています
【請求項９】
請求事項▲９▼
カバーは双壁になっており
2017143503.tif 000010
重ねあわせ使用する
【請求項１０】
請求事項▲１０▼
端子は磁石を設置するスペースの裏側に取り付け配線する
【請求項１１】
2017143503.tif 000011
キュアスピーカー
【発明の詳細な説明】
【発明の概要】
【００１２】従来スピーカーに体を癒す力はないか
2017143503.tif 000002
取る事が出来きる
【００１３】キュアスピーカー内部の端子に人体の痛れ
2017143503.tif 000003
浮かせプログラムを端子に打ち込んだキュアスピーカープログラムは作成します
【００１４】そのプログラムに更にある体の部位に痛れを癒す放射をそして侵透部位のデーターを打ち込んだキュアスピーカー
【発明の効果】
【００１５】現代社会に置いて痛れが抜けきれない時代だけに是非とも活用していただけたら光栄な事だと思います
【追記文献】
2017143503.tif 000004
４０    真空間
４１    ネジ
２１ｂ  カーボン
４２ａ  配線
４２ｂ  ラバー合成樹脂
４３ａ  スピーカー前頭部
４３ｂ  磁石
４３    端子
2017143503.tif 000012
【手続補正書】
【提出日】平成28年7月29日(2016.7.29)
【手続補正３】
【補正対象書類名】明細書
【補正対象項目名】全文
【補正方法】変更
【補正の内容】
【発明の詳細な説明】
2017143503.tif 000013
【技術分野】
【０００１】可視時  角度  範囲  ｅｔｃ  明暗時に差はあるものの視は可視により疲労をともないます、体の部位の一部にあたる疲労を緩和し  体を疲れにくくします。【０００２】人々によって  形たい  生活しゅうかん  ｅｔｃが違う為必ずとはかぎりませんが目の疲労を緩和し疲れにくくします。【０００３】可視時  ブラウン管をながめる  商品の構造にもかかわると思いますがＴＶの電源部の各部品、２の１部品に蛍光インキを塗布する事で眼にやさしく体を疲れにくくします。【０００４】有ＫＤＬＥとする球の商品を開発すいしんに向け研究します。【０００５】電源部表Ａ表面は現品がいいと思います  Ｂも考慮に研究します
電源部よりないぶの発光とする部品  ＬＥＤよりのかんかくを計り電源部ディスプレーを二重構ぞうにし蛍光インキを塗布します。【０００６】二重構ぞうのインに蛍光インキを塗布します。
ＬＥＤに付ずいの場合は二枚のインに塗布します。
ＬＥＤの優れた、ライティングに付ずいを願がいます。【０００７】Ｂ、有ＫＤＬＥを開発すいしん研究します。有ＫＤＬＥ開発後、ＤＬＥに蛍光インキを塗布します。  何故人体の疲れを癒やせるのか開発すいしんに向け、追記させて下さい
【図面の簡単な説明】
【０００８】
【図１】二重構造、インディスプレー  塗布、有ＤＬＥ
【図２】外表面  ディスプレー
【符号の説明】
【０００９】ＬＥ  有機
ディスプレーイン形状
センサ  熱
【手続補正４】
【補正対象書類名】図面
【補正対象項目名】全図
【補正方法】変更
【補正の内容】
【図１】
2017143503.tif 000014
【図２】
2017143503.tif 000015
(57)【要約】【課題】ＭＥＡ（膜−電極接合体）のロールへの貼り付きを防止することでＧＤＬ（ガス拡散層）の破損を抑制する。【解決手段】ロール２００によってＧＤＬ（ガス拡散層）２０とＭＥＡ（膜−電極接合体）１０とを加圧して接合する膜−電極接合装置１００であって、ＧＤＬ２０およびＭＥＡ１０として、接合時の搬送方向におけるＭＥＡ１０の幅をＧＤＬ２０の幅よりも小さくしたものを用いることとする。【選択図】図１
2017143050.tif 000002
【特許請求の範囲】
【請求項１】
ロールによってＧＤＬ（ガス拡散層）とＭＥＡ（膜−電極接合体）とを加圧して接合する膜−電極接合装置において、
前記ＧＤＬおよび前記ＭＥＡとして、接合時の搬送方向における前記ＭＥＡの幅を前記ＧＤＬの幅よりも小さくしたものを用いることを特徴とする膜−電極接合装置。
【発明の詳細な説明】
【技術分野】
【０００１】
本発明は、膜−電極接合装置に関する。
【背景技術】
【０００２】
燃料電池に用いられるＭＥＧＡ（膜−電極−拡散層接合体(Membrane Electrode ＆ Gas Diffusion Layer Assembly)）を製造する手法として、ＭＥＡ（膜−電極接合体(Membrane Electrode Assembly)）とＧＤＬ（ガス拡散層(Gas Diffusion Layer)）を圧延によって接合することが開示されている（例えば、特許文献１参照）。
【先行技術文献】
【特許文献】
【０００３】
【特許文献１】特開２０１３−１７８９９３号公報
【発明の概要】
【発明が解決しようとする課題】
【０００４】
しかしながら、高温で加圧を行う際、ＧＤＬ（ガス拡散層）からはみ出したＭＥＡ（膜−電極接合体）がロールの表面に付着し、熱により溶融する可能性がある。溶融した場合には、ＭＥＡがロールに貼り付いてワーク搬送を阻害してしまい、ＧＤＬが割れることもある。このような問題が生じる理由としては、接合体の接合力が低いために高温での加工が必要なこと、搬送精度が低いためにＧＤＬからＭＥＡがはみ出すこと、が挙げられる。
【０００５】
また、ＧＤＬ上のＭＰＬ（マイクロポーラス）層がロールに転写されてロール表面を汚すことがあり、そうすると、転写された部分が異物となってワークに再付着したり、ロールに段差が生じて加圧時にワークを傷つけたり、といった不具合が生じるおそれがある。このような問題が生じる理由としては、ＧＤＬ上のＭＰＬ層はロールを汚しやすい、といった点が挙げられる。
【０００６】
そこで、本発明は、ＭＥＡ（膜−電極接合体）のロールへの貼り付きを防止することでＧＤＬ（ガス拡散層）の破損を抑制する膜−電極接合装置を提供することを目的とする。
【課題を解決するための手段】
【０００７】
かかる課題を解決するべく、本発明は、ロールによってＧＤＬ（ガス拡散層）とＭＥＡ（膜−電極接合体）とを加圧して接合する膜−電極接合装置において、
前記ＧＤＬおよび前記ＭＥＡとして、接合時の搬送方向における前記ＭＥＡの幅を前記ＧＤＬの幅よりも小さくしたものを用いることを特徴とする。
【発明の効果】
【０００８】
本発明によれば、ＭＥＡのロールへの貼り付きを防止することでＧＤＬの破損を抑制することができる。
【図面の簡単な説明】
【０００９】
【図１】膜−電極接合装置によりＭＥＡとＧＤＬとを接合する様子を示す斜視図である。
【図２】膜−電極接合装置におけるＭＥＡとＧＤＬとをワーク搬送方向から見た図である。
【図３】ＭＥＡバックシートを備えたＭＥＡとＧＤＬとをワーク搬送方向から見た図である。
【発明を実施するための形態】
【００１０】
以下、本発明の構成を図面に示す実施の形態の一例に基づいて詳細に説明する。
【００１１】
図１〜図３に、膜−電極接合装置１の実施形態を示す。膜−電極接合装置１は、ロール２００によってＭＥＡ（膜−電極接合体）１０とＧＤＬ（ガス拡散層）２０とを加圧して接合する装置である。
【００１２】
以下の実施形態におけるワークとして例示するのは、ＭＥＡ（膜−電極接合体）１０とＧＤＬ（ガス拡散層）２０であり、これらが膜−電極接合装置１によって加圧され接合されてＭＥＧＡ（膜−電極−拡散層接合体(Membrane Electrode ＆ Gas Diffusion Layer Assembly)）３０が製造される（図１参照）。ＭＥＡ１０は、工程紙（電解質キャリアフィルム）１１、電解質膜１２、触媒層１３を含む。ＧＤＬ２０は、ＭＰＬ（マイクロポーラス）層２１、ＣＰ（カーボンペーパー）２２を含む（図２、図３参照）。
【００１３】
ここで、ロール・ツー・ロール(Roll to Roll)方式（ロール状に巻かれたワークを加工した後に別のロールに巻き取る方式）の製品を加圧や加熱をして接合する工程において、熱に弱い樹脂層であるＭＥＡ（膜−電極接合体）１０は、加熱されたロール２００に接触すると当該ロール２００に貼り付いてしまい、ワークの搬送に対する抵抗となり、脆いＧＤＬ（ガス拡散層）が破損してしまう場合があるが、これに対し、以下に示す膜−電極接合装置１００においては、加熱、高圧プレスによる接合強度向上によるＭＥＡ１０のロール２００への貼り付きを抑制するため、製品部材の流れ方向つまりワーク搬送方向（搬送送り方向）の幅を、（１）ＭＥＡ≦ＧＤＬ、（２）ＧＤＬ≦ＭＥＡバックシート  とする。以下、それぞれについて、第１の実施形態、第２の実施形態として詳しく説明する。
【００１４】
＜第１の実施形態＞
ワーク搬送方向に対する製品幅について、ＧＤＬ２０の幅ｂをＭＥＡ１０の幅ａ以上（ＭＥＡ１０の幅ａ≦ＧＤＬ２０の幅ｂ）とする（図２参照）。ＧＤＬ２０の幅ｂがＭＥＡ１０の幅ａ以上となることで、ＭＥＡ１０のロール２００への貼り付きを防止し、ＧＤＬ２０の破損を抑制する。
【００１５】
＜第２の実施形態＞
ＭＥＡ１０に設けられるＭＥＡバックシート１４の幅ｃをＧＤＬ２０の幅ｂ以上（ＧＤＬ２０の幅ｂ≦ＭＥＡバックシート１４の幅ｃ）とする（図３参照）。こうすることで、ＭＰＬ層２１がロール２００へ転写されることを抑制する。一般に、ロール・ツー・ロールの製品を接合する際、ＧＤＬ２０の表面のカーボン塗膜（ＭＰＬ）はロール２００に接触すると当該ロール２００へと容易に転写され、ロール２００の汚染、他のワークへの再転写による不良発生を誘発することがあるが、本実施形態によればこのような事態が生じるのを抑制することができる。
【００１６】
なお、上述の実施形態は本発明の好適な実施の一例ではあるがこれに限定されるものではなく本発明の要旨を逸脱しない範囲において種々変形実施可能である。
【産業上の利用可能性】
【００１７】
本発明は、ロールによってＧＤＬ（ガス拡散層）とＭＥＡ（膜−電極接合体）とを加圧して接合する膜−電極接合装置に適用して好適である。
【符号の説明】
【００１８】
１０…ＭＥＡ
１１…工程紙
１２…電解質膜
１３…触媒層
１４…ＭＥＡバックシート
２０…ＧＤＬ
２１…ＭＰＬ層
２２…ＣＰ
３０…ＭＥＧＡ
１００…膜−電極接合装置
２００…ロール
【図１】
2017143050.tif 000003
【図２】
2017143050.tif 000004
【図３】
2017143050.tif 000005
(57)【要約】【課題】軽量で水の浸透性と保水性に優れ、苗の育生期間の短縮化を図ることができる培養土の提供を目的とする。【解決手段】植物性繊維材と鉱物系資材と培土との混合物に肥料成分を添加してあることを特徴とする【選択図】  図１
2017143786.tif 000002
【特許請求の範囲】
【請求項１】
植物性繊維材と鉱物系資材と培土との混合物に肥料成分を添加してあることを特徴とする培養土。
【請求項２】
前記植物性繊維材はヤシガラを原料とするものであり、
前記鉱物系資材は焼成バーミキュライトであり、
前記培土は砂質の土を粘土と混合して熱処理したものであることを特徴とする請求項１記載の培養土。
【請求項３】
容積割合で、前記ヤシガラは５０〜７０％、前記焼成バーミキュライト１０〜３０％、前記培土は１０〜３０％であることを特徴とする請求項２記載の培養土。
【請求項４】
苗木の育成に用いられるものであることを特徴とする請求項１〜３のいずれかに記載の培養土。
【発明の詳細な説明】
【技術分野】
【０００１】
本発明は植物のポット栽培に用いられる培養土に関し、特に苗木作りに適している。
【背景技術】
【０００２】
野菜等の園芸において、従来からポット（セルポット）にて苗作りを行い、本圃に移植することが実施されている。
その場合に軽量な培養土であることが好ましく、例えば特許文献１には培地基材にヤシガラを用いたものが開示されている。
しかし、同公報に開示する混合培地は必ずしも保水性が充分とは言えないものである。
特許文献２には天然セルロース系繊維材に有機・燃焼灰系中和剤を混合したセル育苗用培地を開示する。
しかし、燃焼灰系の中和剤は一般的に入手できるものではない。
【先行技術文献】
【特許文献】
【０００３】
【特許文献１】特開平１１−２３９４１６号公報
【特許文献２】特開２００７−２７５０５１号公報
【発明の概要】
【発明が解決しようとする課題】
【０００４】
本発明は、軽量で水の浸透性と保水性に優れ、苗の育成期間の短縮化を図ることができる培養土の提供を目的とする。
【課題を解決するための手段】
【０００５】
本発明に係る培養土は、植物性繊維材と鉱物系資材と培土との混合物に肥料成分を添加してあることを特徴とする。
【０００６】
ここで、植物性繊維材にはヤシガラを原料とするもの、水苔やシダなどが堆積されてできたピートモス、ココナッツを原料とするココナッツピート等が例として挙げられる。
そのうちヤシガラを原料とするものが好ましい。
【０００７】
鉱物系資材には、蛭石とも称されるバーミキュライト原石を８００〜１０００℃の高温にて焼成加工して膨張させた焼成バーミキュライトの他に、パーライト，ゼオライト等が例として挙げられる。
そのうち、焼成バーミキュライトが好ましい。
培土は土をいい、本発明においては砂質の土に粘土を混合し、粒状にしたものが好ましく、この際に高温加熱処理し、雑菌や雑草種子を除去したものが好ましい。
【０００８】
これらの成分は、容積割合で、前記ヤシガラは５０〜７０％、前記焼成バーミキュライト１０〜３０％、前記培土は１０〜３０％であるのが好ましい。
【０００９】
本発明に係る培養土は苗木の育成に適しており、苗木の育成期間を考慮して一般的な肥料に加えて、溶出速度を化学的又は物理的に調整した緩効性肥料を混合してあるのが好ましい。
苗木には、広葉樹及び針葉樹が含まれる。
例えば、杉苗の育成には日数がかかり、この間にわたって、水の浸透性と保水性が必要となる。
【発明の効果】
【００１０】
本発明に係る培養土を用いると、苗木の成長が速く、現地に移植する際には培養土が軽量であるので労役の軽減を図ることができる。
【図面の簡単な説明】
【００１１】
【図１】（ａ）は杉苗、（ｂ）はウラジロ苗、（ｃ）はエゴの木の苗、（ｄ）はカエデの苗について、それぞれＡが本発明に係る培養土を用いた場合（実施例）、Ｂが従来の培養土を用いた場合（比較例）を示す。
【発明を実施するための形態】
【００１２】
本発明に係る培養土と従来の培養土を用いて、苗木の成長比較を行ったので以下、説明する。
【００１３】
本発明に係る培養土の配合を次のように行った。
ヤシガラを原料とした植物性繊維材として日本地工株式会社製の商品名「スーパーココ２ｍｍ」を用いた。
これは、みかけ比重が０．１５である。
焼成バーミキュライトとして、ニッタイ株式会社製の商品「バーミキュライト」を用いた。
このみかけ比重は０．１５２である。
培土として、いなほ化工株式会社の商品名「いなほ培土」を用いた。
このみかけ比重は１．２である。
なお、「いなほ培土」には肥料成分「チッソ」０．３〜０．４ｇ／ｋｇ、「リン酸」０．３〜０．４ｇ／ｋｇ、「カリ」０．３〜０．４ｇ／ｋｇ含有している。
この「いなほ培土」のように砂質の土と粘土質の土を混合し、熱処理したものを用いると雑菌が少ない。
これらの資材を用いて容積％で、「スーパーココ２ｍｍ」６０％，「焼成バーミキュライト」２０％，「いなほ培土」２０％の割合で混合する。
また、添加混合する肥料は「いなほ培土」に含まれる成分を考慮し、ＪＡ製の「やさい燐加安Ｓ５４０，１５−１４−１０」及び塩化カリ（Ｋ＝６０％）を用いて、培養土１リットル当たり「チッソ」３００ｍｇ，「リン酸」２８０ｍｇ，「カリ」３４０ｍｇ配合した。
また、ジェイカムアグリ株式会社の商品名「ロングトータル３９１，（ロングは登録商標）」培養土１リットル当たり１０ｇの割合で添加混合した。
「ロングトータル３９１」は（Ｎ：１３−Ｐ：９−Ｋ：１１）のタイプである。
また、ＭｇＯが２．０％含まれる。
なお、肥料成分の量は対象となる苗木の種類に応じて調整するのが好ましい。
調整範囲は三要素のそれぞれが２００〜４００ｍｇ／リットルの範囲が好ましい。
表面をコーティングした緩効性肥料は、苗木の育成期間を考慮して選定される。
「ロングトータル３９１」の場合に５〜２０ｇ／リットルの範囲で使用するのが好ましい。
【００１４】
比較に用いた培土は、容積にて赤玉土とピートモスとを１：１の割合に配合し、肥料成分量は本発明に係る培養土と同じにした。
【００１５】
本発明に係る培養土と比較例の培養土をポットに詰め、小さな苗木を植え、成長を比較評価した結果を図１に示す。
図１の（ａ）は杉苗、（ｂ）はウラジロ苗、（ｃ）はエゴの木の苗、（ｄ）はカエデの木の苗であり、小さな苗木を植え、２ヶ月間経過した状態である。
図で、左側のＡは本発明に係る培養土を用いたものであり、右側のＢは比較例である。
本発明に係る培養土を用いたＡの方が明らかに成長が速く、苗の状態も良好であった。
なお、図１（ａ）の杉苗は左側のＡと右側のＢとの間の段差部が区切りである。
このように、明らかに段差ができる程に本発明に係る培養土の方が健全な苗木であり成長が速い。
【図１】
2017143786.tif 000003
(57)【要約】      （修正有）【課題】ちいさい身近に置ける、ちいさい盆栽を、提供する。【解決手段】傾けて、樹１を鉢２とともに回す。樹の生長点を、全体に生じさせる特徴とする。【選択図】図１
2017143823.tif 000002
【特許請求の範囲】
【請求項１】
傾けて、回して作る盆栽
【発明の詳細な説明】
【技術分野】
【０００１】この発明は、傾けて、回す、ちいさい盆栽に、関するものである。
仕立てる盆栽を、傾けて回す。
【技術背景】
【０００２】水平で、回していた。
【発明の概要】
【発明が解決しようとする課題】
【０００３】（イ）  ちいさくしたい。
（ロ）  身近に、置きたい。
【課題を、解決するための手段】
【０００４】成長点を分散する。本発明は以上よりなる、ちいさい盆栽である。
【発明の効果】
【０００５】（イ）  ちいさくなる。
（ロ）  身近に、置ける。
【図面の簡単な説明】
【０００６】
【図１】  本発明の、正面図。左側が、南（太陽、光源）側  １  樹  ２  鉢
【図２】  平面図  １  樹  回す方向
【発明を実施するための形態】
【０００７】以下、本発明を、実施するための形態について説明する。
樹幹部を、南（太陽  又は光源）側に、傾ける。
そして、樹を鉢ごと回す。
傾けて、回す。これで生長部分を、樹全体に、分散する。
状況により、傾き、回す速さを変える。
傾きは、真上を、０度、水平を、９０度、真下を、１８０度、真上に戻って３６０度とする。  ０度＜傾ける角度＜３６０度  このいずれかの角度に傾け樹を、鉢ごと回す。
【図１】
2017143823.tif 000003
【図２】
2017143823.tif 000004
(57)【要約】【課題】食用ハーブ、ドライフルーツ、食品香料を組み合わせることによって、お湯を注ぐだけでハーブティーとして飲むことができ、さらに食用ハーブ及びドライフルーツを食べられる飲料を提供する。【解決手段】茶葉の代わりに食用ハーブを用いて酸味渋味のあるハーブティーをベースにして、甘味を出すドライフルーツを組み合わせることにより、ハーブティーとして飲みながら、食用ハーブ及びドライフルーツを一緒に食べることができる。【特許請求の範囲】
【請求項１】
食用ハーブ単体では甘味もなく食べないところ、甘味のでるドライフルーツを組み合わせることによって、お湯を注ぐだけで食用ハーブの酸味渋味とドライフルーツの甘味によりハーブティーとして飲用でき、茶葉を使用していないことからノンカフェイン飲料であり、かつ食用ハーブ及びドライフルーツを一緒に食べることができることを特徴とするハーブティー。
【発明の詳細な説明】
【技術分野】
【０００１】  本発明は、食べられるハーブティーに関する。
【背景技術】
【０００２】  従来のハーブティーは、ハーブ茶葉にお湯を注ぎ、ハーブの成分を抽出させたものを飲用し、ハーブ茶葉を食べないことが普通である。
【発明の概要】
【発明が解決しようとする課題】
【０００３】  ハーブティーとして飲用するだけではなく、ハーブ茶葉もおいしく食べる。
【課題を解決するための手段】
【０００４】  茶葉の代わりに食用ハーブのみを選別してハーブ茶葉として用い、酸味渋味のあるハーブティーをベースにして、甘味のでるドライフルーツ、食品香料を組み合わせることによって、ハーブティーとして飲みながら、食用ハーブとドライフルーツを一緒に食べられることを特徴とする。
(57)【要約】      （修正有）【課題】イヤホンから聞こえる貧弱な低音を豊かに聞こえるようにするイヤホン用補助器具を提供する。【解決手段】イヤホン用の「カチューシャ」の形をした補助器具４で耳珠６又はその近くの頬８を押さえる事により、イヤホンから低音域の音がよく聞こえるようにする。【選択図】図２
2017130905.tif 000002
【特許請求の範囲】
【請求項１】
イヤホンを使って音楽を聞く時に、「カチューシャ」の形をした低音補正用の器具を同時に装着し、その両端で両耳の耳珠又はその近くを軽く押さえると、イヤホンからは必要にして十分な低音が出ているように感じられる、イヤホン傍用の補助器具。
【発明の詳細な説明】
【技術分野】
【０００１】  本発明は、イヤホンを使用している時に、耳珠又はその近くの頬を押さえる事で、低音がより豊かに聞こえるようにする為に使う、イヤホン用の補助器具に関するものである。
【背景技術】
【０００２】  音響製品の中でも、特にイヤホンは各社それぞれが多くの種類の製品を大量に作っていて、その数は正に数えきれない程である。ところが現在、店先に並べられている製品の音を出す基本的な方法や構造はどれもほぼ同じ。【０００３】  半世紀前であれば、イヤホンやヘッドホンの製品そのものの数は多く無く、それにひきかえ音を出す為の構造や仕掛けはいろいろ有った。お医者さんの聴診器のような原始的なものから、クリスタルあり、ダイナミックもあり、更にはコンデンサー等と、音の出し方は大いに異なっていた。【０００４】  音を出す為の構造がほぼ同じと言える現在のイヤホンは、それ故にか、どれもかなり良く出来ていて、中音域の解像力や高音域の素直な伸び等は然程変わりはないと言える。ところが低音の出具合の差はかなり顕著で、価格の違いは、いかに低音が豊かに出ているか或はそのように感じられるかによるようだ。
【発明の開示】
【発明が解決しようとする課題】
【０００５】  なるほど、現在よく見かける高級品のイヤホンは性能が良く、十分満足出来るが、それにしてもかなり割高であり、その価格は中級品の数倍もする。中級品と高級品との違いが中音域の解像力に有るのでもなく、高音域の伸びによるのでもなく、ただ低音域が豊かに出ている、或はそのように感じられると言う、この一点に有るのならば、中級品を使用する時に低音域を補強する、簡単な補助器具等を傍用する事で、この問題は解決出来るのではないか。【０００６】  それには、容易に手っ取り早く装着出来て、しかも装着している時は圧迫感や不快感が無く、そのうえ軽く嵩張らず、持ち運びには小さくたためることが出来れば尚良い。
【課題を解決するための手段】
【０００７】  少女がよく頭に付けているカチューシャのような外観をしていて、その両端には直径６乃至８ミリ、高さ６ミリ程度の円柱形をした突起が有り、そのタブレットのような突起で耳珠又はその近くを押さえる。つまり、音の出ない小さめのヘッドホンと考えても良い。【０００８】  材質は費用が安く、成型が容易なプラスチック製とする。適度に弾力が有り、長さもある程度調整出来、肌触りの良いものが望まれる。【０００９】  先端の突起が肌にあたる部分は、耳殊、或はその１センチほど手前の、こめかみよりの頬の部分が最も効果的である。
【発明の効果】
【００１０】  あまり低音が出ていないイヤホンでだと、音楽そのものが貧相で薄っぺらに聞こえるが、低音域が豊かに出ているイヤホンの場合は実に気持ちよく落ち着ける。【００１１】  元々、出ていないはずの低音をイヤホンから出ているように感じさせる工夫は大したもので、それこそが技術の差と言う事になるのか、高級品のイヤホンには豊でのびのびした低音が出るものが多い。ミッシング・ファンダメンタルを有効に利用している。【００１２】  中級品にもその等差数列のご利益を大いに活用することで、音が膨らみ、音楽に深みと豊かさを増す。更に、外付けで有る為にいろいろなイヤホンにも適用できる。
【発明を実施するための最良の形態】
【００１３】  低音が良く出ている音楽を聞く時には効果があり、この補助器具を装着することで低音が豊に聞こえるが、一般の会話や外国語の学習時には装着しない事で、相対的に中高音域の音が強くなり、声が明瞭に聞こえる。【００１４】  高級品のイヤホンではミッシング・ファンダメンタルを最大限に活用しているのは悪く無いが、会話など大して必要のない時に、音がこもり不都合なこともある。【００１５】  低音を豊かにする、このイヤホン用の補助器具である「カチューシャ」は、一般の会話や語学の学習には、使用しなくてもよい。特に摩擦音や破裂音の多い外国語の学習には、音を大きくするだけでなく、中、高音域を強調したメリハリのあるはっきりした音の方が聞き取り易いようだ。【００１６】  それは次のような理由に因る。つまり、一般的な会話は４００Ｈｚから４０００Ｈｚの間で話されているらしい。中でも１０００Ｈｚ前後の音声が聞き取りには重要で、子音はその少し上の帯域で２０００Ｈｚから４０００Ｈｚ辺りの音声の成分が最も大切な役割をすると言う。日本語はそれ程でもないが、外国語の中には子音がよく使われる言葉も多いそうだ。人の耳では、その外耳道の長さが３センチくらいで、この子音の聞き取りには都合が良いようである。【００１７】  低音を豊かにする「カチューシャ」を、低音の再生があまり期待出来ない普及品のイヤホンと同時に使用すると、それなりの効果があるが、元々低音の再生を重視した高級品のイヤホンと一緒に使っても、然程効果はない。それは、ミッシング・ファンダメンタルの効用を既に最大限活用しているからである。そんな訳で中級品と同時に装着する時が、最も効果が現れる。
【図面の簡単な説明】
【００１８】
【図１】  「カチューシャ」の形をした低音補正用の補助器具。
【図２】  補助器具を耳の側に装着しているところ。
【符号の説明】
【００１９】  １            「カチューシャ」の形をした補助器具
２            長さを調整する伸縮部分
３            耳の側を押さえるシリンダー形の先端
４            「カチューシャ」の形をした補助器具
５            耳
６            耳珠
７            外耳道
８            頬
【図１】
2017130905.tif 000003
【図２】
2017130905.tif 000004